(57)【特許請求の範囲】
【請求項１】
基地局のサーチを行うサーチ部と、
前記サーチ部でサーチされた一つもしくは複数の基地局と通信を行う通信部と、
実行中のアプリケーションプログラムが前記通信部を通じて通信を行う処理を含む通信アプリケーションであるか否かの判定を行う通信アプリケーション判定部と、
実行中のアプリケーションプログラムが前記通信アプリケーション判定部によって前記通信アプリケーションであると判定された場合には、自機の操作状況に応じて、第１の周期及び当該第１の周期よりも長い周期の第２の周期から選択し、
前記通信アプリケーションではないと判定された場合には、自機の操作状況に応じて、第３の周期及び当該第３の周期よりも周期の長い第４の周期から選択し、選択した周期で前記サーチ部にサーチさせるサーチ周期選択部とを備え、
前記第３の周期及び前記第４の周期は共に、前記第１の周期及び前記第２の周期とも異なる周期である、
ことを特徴とする携帯通信端末。
【請求項２】
前記第３の周期は、前記第２の周期よりも長い周期である
ことを特徴とする請求項１記載の携帯通信端末。
【請求項３】
前記サーチ周期選択部は、前記通信アプリケーションが実行中で、前記第１の周期を選択している場合において、一定時間ユーザによる操作がなされなかったときには、前記第１の周期に代えて前記第２の周期を選択して、当該第２の周期で前記サーチ部にサーチさせ、
前記第２の周期を選択している場合において、操作が行われたときには、前記第２の周期に代えて前記第１の周期を選択して、当該第１の周期で前記サーチ部にサーチさせる
ことを特徴とする請求項２記載の携帯通信端末。
【請求項４】
前記サーチ周期選択部は、前記通信アプリケーションを実行中ではなく、
前記第３の周期を選択している場合において、一定時間ユーザによる操作がなされなかったときには、前記第３の周期に代えて前記第４の周期を選択して、当該第４の周期で前記サーチ部にサーチさせ、
前記第４の周期を選択している場合において、操作が行われたときには、前記第４の周期に代えて前記第３の周期を選択して、当該第３の周期で前記サーチ部にサーチさせる
ことを特徴とする請求項２記載の携帯通信端末。
【請求項５】
前記通信アプリケーションの識別情報を記憶している記憶部を備え、
前記通信アプリケーション判定部は、前記記憶部に記憶されている前記通信アプリケーションの前記識別情報と実行中のアプリケーションプログラムの識別情報が一致する場合に当該アプリケーションプログラムを前記通信アプリケーションであると判定する
ことを特徴とする請求項２記載の携帯通信端末。
【請求項６】
前記通信アプリケーション判定部は、前記アプリケーションプログラムから前記通信部
を通じて通信を行うか否かを示す情報を取得し、前記アプリケーションプログラムから前
記情報を得た場合に、当該情報が通信を行う旨の情報であったときは当該アプリケーショ
ンプログラムを前記通信アプリケーションであると判定する
ことを特徴とする請求項２記載の携帯通信端末。
【請求項７】
基地局のサーチを行うサーチ部と、
前記サーチ部でサーチされた一つもしくは複数の基地局と通信を行う通信部と、
を備える携帯通信端末のプロセッサに基地局をサーチする周期を選択させるためのサーチ周期選択処理を行わせるためのサーチ周期選択プログラムであって、
前記サーチ周期選択処理は、
実行中のアプリケーションプログラムが前記通信アプリケーション判定部によって前記通信アプリケーションであると判定された場合には、自機の操作状況に応じて、第１の周期及び当該第１の周期よりも長い周期の第２の周期から選択し、
前記通信アプリケーションではないと判定された場合には、自機の操作状況に応じて、第３の周期及び当該第３の周期よりも周期の長い第４の周期から選択し、選択した周期で前記サーチ部にサーチさせるサーチ周期選択ステップとを含み、
前記第３の周期及び前記第４の周期は共に、前記第１の周期及び前記第２の周期とも異なる周期である、
ことを特徴とするサーチ周期選択プログラム。
【請求項８】
基地局のサーチを行うサーチ部と、
前記サーチ部でサーチされた一つもしくは複数の基地局と通信を行う通信部と、
を備える携帯通信端末におけるサーチ周期選択方法であって、
実行中のアプリケーションプログラムが前記通信部を通じて通信を行う処理を含む通信アプリケーションであるか否かの判定を行う通信アプリケーション判定ステップと、
実行中のアプリケーションプログラムが前記通信アプリケーション判定部によって前記通信アプリケーションであると判定された場合には、自機の操作状況に応じて、第１の周期及び当該第１の周期よりも長い周期の第２の周期から選択し、
前記通信アプリケーションではないと判定された場合には、自機の操作状況に応じて、第３の周期及び当該第３の周期よりも周期の長い第４の周期から選択し、選択した周期で前記サーチ部にサーチさせるサーチ周期選択ステップとを含み、
前記第３の周期及び前記第４の周期は共に、前記第１の周期及び前記第２の周期とも異なる周期である、
ことを特徴とするサーチ周期選択方法。
【発明の詳細な説明】
【技術分野】
【０００１】
本発明は、携帯通信端末、サーチ周期選択プログラム、サーチ周期選択方法に関し、特に通信可能な基地局をサーチする技術に関する。
【背景技術】
【０００２】
携帯通信端末では、周辺にある基地局から発される電波を受信して、その電界強度を計測し、通信可能な基地局をサーチしている。その結果を利用して、圏外からの復帰及び新たな基地局へのハンドオーバー等を実現している。
ところで、携帯通信端末が基地局をサーチする処理は周期的に行われるが、この周期が長いと、移動中に通話を行おうとしても即座には通話できないことになり、使い勝手が悪くなる。このため、サーチは頻繁に行うことが要請されるのであるが、その場合は、他方において携帯通信端末に内蔵の電池の消耗が激しく、電池持続時間が短くなるという問題がある。
【０００３】
そこで、特許文献１では、携帯通信端末の過去一定期間の発着信回数に応じて、基地局をサーチする周期（以下、「サーチ周期」という。）を変更する技術を開示している。
具体的には、発着信回数が多い期間にはサーチ周期を短く、逆に発着信回数が少ない期間にはサーチ周期を長くする。この結果、電池の消耗をある程度抑制しつつ、通信の即応性の向上をはかることができる。また、特許文献２では、サーチを行う携帯無線通信端末において、低消費電力化と受信性能とを両立する技術が開示されている。
【先行技術文献】
【特許文献】
【０００４】
【特許文献１】特開２００８−１６０３０３号公報
【特許文献２】特開２００６−１４０９１２号公報
【発明の概要】
【発明が解決しようとする課題】
【０００５】
しかしながら、上記技術は、サーチ周期を過去の実情を参照して変更するという一見合理的な手法ではあるものの、反面、過去の発着信回数が少なく、サーチ周期を長く設定しているときに、一時的に他の多くの人から当の携帯通信端末に対して発呼やメール送信が増加したとすると、最大でサーチ周期の間、着呼や着信を待たねばならないこととなる。また、当の携帯通信端末から発呼やメール送信する場合も、迅速性にかけることとなるといった課題がある。特許文献２では、完全なサービスエリア外とならないと消費電力の削減ができないという課題を有する。
【０００６】
本発明は係る問題に鑑みてなされたものであり、電池の消耗を抑制しつつ、通信の即応性の向上をはかる携帯通信端末を提供することを目的とする。
【課題を解決するための手段】
【０００７】
上記目的を達成するために本発明に係る携帯通信端末は、基地局のサーチを行うサーチ部と、前記サーチ部でサーチされた一つもしくは複数の基地局と通信を行う通信部と、実行中のアプリケーションプログラムが前記通信部を通じて通信を行う処理を含む通信アプリケーションであるか否かの判定を行う通信アプリケーション判定部と、実行中のアプリケーションプログラムが前記通信アプリケーション判定部によって前記通信アプリケーションであると判定された場合に、前記通信アプリケーションが実行されていないときと比較して短い第１の短い周期を選択し、当該第１の短い周期で前記サーチ部にサーチさせるサーチ周期選択部とを備えることを特徴とする。
【０００８】
また、本発明に係るサーチ周期選択プログラムは、基地局のサーチを行うサーチ部と、前記サーチ部でサーチされた一つもしくは複数の基地局と通信を行う通信部とを備える携帯通信端末のプロセッサに基地局をサーチする周期を選択させるためのサーチ周期選択処理を行わせるためのサーチ周期選択プログラムであって、前記サーチ周期選択処理は、実行中のアプリケーションプログラムが前記通信部を通じて通信を行う処理を含む通信アプリケーションであるか否かの判定を行う通信アプリケーション判定ステップと、実行中のアプリケーションプログラムが前記通信アプリケーション判定ステップによって前記通信アプリケーションであると判定された場合に、前記通信アプリケーションが実行されていないときと比較して短い第１の短い周期を選択し、当該第１の短い周期で前記サーチ部にサーチさせるサーチ周期選択ステップとを含む。
【０００９】
さらに、本発明に係るサーチ周期選択方法は、基地局のサーチを行うサーチ部と、前記サーチ部でサーチされた一つもしくは複数の基地局と通信を行う通信部と、を備える携帯通信端末におけるサーチ周期選択方法であって、実行中のアプリケーションプログラムが前記通信部を通じて通信を行う処理を含む通信アプリケーションであるか否かの判定を行う通信アプリケーション判定ステップと、実行中のアプリケーションプログラムが前記通信アプリケーション判定ステップによって前記通信アプリケーションであると判定された場合に、前記通信アプリケーションが実行されていないときと比較して短い第１の短い周期を選択し、当該第１の短い周期で前記サーチ部にサーチさせるサーチ周期選択ステップとを含む。
【発明の効果】
【００１０】
本発明に係る携帯通信端末、サーチ周期選択プログラム及びサーチ周期選択方法は、電池の消耗を抑制しつつ、通信の即応性の向上をはかることが可能である。
【図面の簡単な説明】
【００１１】
【図１】本発明の一実施形態としての携帯電話機の主要部の機能構成を表すブロック図である。
【図２】携帯電話機の有するサーチ周期と基地局をサーチするのに要する時間との関係を示した図である。
【図３】携帯電話機がサーチ周期を選択する際に用いる制御処理のフローチャートであり、図４へ続く。
【図４】携帯電話機がサーチ周期を選択する際に用いる制御処理のフローチャートであり、図３から続く。
【図５】携帯電話機が通信アプリケーションを起動したかを判定する際に用いる制御処理のフローチャートである。
【図６】携帯電話機のサーチ周期の選択方法の遷移を示す状態遷移図である。
【発明を実施するための形態】
【００１２】
＜実施形態＞
以下、本発明に係る携帯通信端末の一実施形態である携帯電話機について説明する。
＜概要＞
携帯電話機は、通信を行う処理を含むアプリケーションプログラムを実行しているか否かと、ユーザ操作の有無に応じて複数あるサーチ周期の中から一つの周期を選択し、選択した周期で基地局をサーチするものである。
【００１３】
特に、携帯電話機は、そのアプリケーションプログラム（以下「アプリケーション」という）内に通信を行う処理を含むアプリケーション（以下「通信アプリケーション」という。）を実行している場合には、複数あるサーチ周期の中から実行していないときよりも短い周期を選択する。逆に通信アプリケーションを実行していない場合には、複数あるサーチ周期の中から実行中のときよりも長い周期を選択する。携帯電話機は、選択した周期に従って基地局をサーチする。
【００１４】
これにより、通信アプリケーションを実行中の場合には、通信可能な基地局の情報を短い周期で更新することで、発信の即応性を高めることができる。また、通信アプリケーションが実行中ではない場合には、基地局をサーチすることで生じる電力消費を抑制する。この結果、電池の消耗をある程度抑制しつつ、通信の即応性の向上をはかることができる。
【００１５】
＜構成＞
以下、携帯電話機１０００の構成について説明する。
図１は、携帯電話機１０００の主要部の機能構成を表すブロック図である。
携帯電話機１０００は、同図に示すように、通信部１１００、サーチ部１２００、記憶部１３００、操作部１４００、検知部１７００、ディスプレイ１５００、制御部１６００を備える。
【００１６】
なお、携帯電話機１０００は、プロセッサ及びメモリを含んで構成されており、制御部１６００の機能は上述のメモリに記憶されているプログラムを上述のプロセッサが実行することにより実現される。
通信部１１００は、アンテナを介して基地局との間で電波の送受信を行う回路であり、受信信号を復調し制御部１６００へ伝達する機能、及び制御部１６００から伝達された信号を変調し送信する機能を有する。
【００１７】
サーチ部１２００は、通信部１１００を用いて外部の基地局のサーチを行う回路であり、制御部１６００から通知された周期に応じて通信部１１００を用いて基地局をサーチする機能を有する。この機能については、サーチ周期の説明と合わせて後述する。
記憶部１３００は、ＨＤＤ（Ｈａｒｄ  Ｄｉｓｋ  Ｄｒｉｖｅ）やメモリ等の記憶媒体を含み、携帯電話機１０００が動作上必要とする各種データ、プログラムを記憶している。また、各種データの一部として、携帯電話機１０００の設計者によって指定された、メールを行うアプリケーションや、インターネットを閲覧するアプリケーションや、電話番号の入力に基づいて通話（発呼や着呼）を行うアプリケーション等の通信アプリケーションの識別子を記憶している。この識別子は、例えば通信アプリケーションの名称であり、「メール」や「インターネットブラウザ」等の通信を行うアプリケーション名である。
【００１８】
操作部１４００は、いわゆるテンキー等のキー群やボタン群を含むものであり、ユーザが行ったキー群やボタン群を用いた入力を受け付けて制御部１６００へ伝達する機能を有する。なお、制御部１６００へ入力が行われたことを伝達することが可能ならば、機械式のボタンでもよいし、タッチパネルやタッチパッド等に表示されたボタンであってもよいし、その他どの様な入力デバイスで実現してもよい。
【００１９】
検知部１７００は、光学式等のセンサを含んだ回路であり、折りたたみタイプの携帯電話機の場合は開閉操作、スライドタイプの携帯電話機の場合はスライド開閉操作を受け付けて制御部１６００へ伝達する機能を有する。
ディスプレイ１５００は、ＬＣＤ（Ｌｉｑｕｉｄ  Ｃｒｙｓｔａｌ  Ｄｉｓｐｌａｙ）により実現され、制御部１６００からの指示を受けて文字等の画像を表示する機能を有する。ただし、ＬＣＤに限らずＰＤＰ（プラズマディスプレイパネル）や有機ＥＬ（Ｅｌｅｃｔｒｏ‐Ｌｕｍｉｎｅｓｃｅｎｃｅ）ディスプレイ等で実現してもよい。
【００２０】
制御部１６００は、一般的な携帯電話機が有する機能のほか、実行中のアプリケーションが通信アプリケーションであるかどうかの判定結果や、操作部１４００からの入力に基づいてサーチ周期を複数段階の中から選択する機能を有する。制御部１６００は、電界強度計測部１６１０、通信アプリケーション判定部１６２０、サーチ周期選択部１６３０、アプリケーション実行部１６４０を含んで構成される。なお、制御部１６００は、全部または一部を１チップ又は複数チップの集積回路で実現してもよいし、コンピュータのプログラムで実現してもよい。
【００２１】
電界強度計測部１６１０は、通信部１１００を介して、基地局から送信される電波の電界強度を計測する機能を有する。電界強度計測部１６１０は、サーチ部１２００がサーチする際に、基地局との電波の電界強度を計測するために用いられる。携帯電話機１０００が発信するときには電界強度が大きい基地局が選択される。
通信アプリケーション判定部１６２０は、通信アプリケーションが起動されたか否かの判定処理（以下、「起動判定処理」という。）を行うことで、実行中のアプリケーションが通信アプリケーションであるか否かを判定する機能を有する。各アプリケーションは識別子をもち、通信アプリケーション判定部１６２０はその識別子を取得する機能も有する。通信アプリケーションであるか否かの判定は、実行中のアプリケーションの識別子と、記憶部１３００に記憶してある通信アプリケーションの識別子が一致するか否かで行う。アプリケーションは、その識別子を取得するための関数やサブルーチンを含んでおり、通信アプリケーション判定部１６２０はその関数やサブルーチンを用いて識別子を取得する。
【００２２】
サーチ周期選択部１６３０は、サーチ周期の選択処理（以下、「選択処理」という。）を行うことで、通信アプリケーションが実行中であるかどうか、実際に通信中であるかどうか、及び一定期間入力が無かったかによって、サーチ周期を複数の段階（以下、４段階とする）の中から選択する機能を有する。
アプリケーション実行部１６４０は、操作部１４００からの入力等に基づいてアプリケーションを実行する機能を有する。
【００２３】
ここで、サーチ周期について説明する。図２は、４段階のサーチ周期について説明するための図である。図２中のＴｓ（例えば２秒）は、通信部１１００を駆動して基地局をサーチするために要する時間を表している。ただし、基地局をサーチするために要する時間は一定ではないが、図２においては平均的な時間としてＴｓという時間を用いている。４段階のサーチ周期は、図２（Ａ）から（Ｄ）に示す周期Ｔ１（例えば５秒）、Ｔ２（例えば１０秒）、Ｔ３（例えば３０秒）、Ｔ４（例えば６０秒）であり、それぞれＴ１＜Ｔ２＜Ｔ３＜Ｔ４という大小関係にある。よって、携帯電話機１０００のサーチ周期選択部１６３０がＴ１を選択している場合よりもＴ２を選択している場合のほうが、サーチ部１２００が次に基地局をサーチするまでの休止期間が長くなる。従って、サーチ周期が長い場合、一定時間内における消費電力が少なく、省電力性に優れることになる。
【００２４】
一方、サーチ周期が短い場合、一定時間内における基地局サーチ回数が多い。この結果、移動しながら用いる携帯電話機１０００において、移動している最中に基地局ごとの電波の電界強度の大きさを取得することができる。従って、発信を実行するためのユーザによる操作があったときに、すぐに発信することができる。
ここで、サーチ部１２００の機能について述べる。サーチ部１２００は、制御部１６００から最後に通知されたサーチ周期に基づいて、時間Ｔｓをかけて繰り返し通信可能な基地局をサーチする。これらの結果、得られた通信可能な基地局と電波の電界強度の計測結果は記憶部１３００に記憶され、通信アプリケーションが基地局に対し発信を行う際に用いられる。
【００２５】
＜動作＞
以下、上述の構成を備える携帯電話機１０００の動作について説明する。
図３から図５は、本実施形態に係る携帯電話機１０００のサーチ周期選択部１６３０が行う選択処理を示すフローチャートである。この選択処理は、ユーザにより携帯電話機１０００の電源が入れられたときに開始するものであり、図示しないが、電源が切られたときに終了するものである。
【００２６】
図３と図４から説明を行う。まず、ユーザにより電源が入れられると、携帯電話機１０００のサーチ周期選択部１６３０は、サーチ周期Ｔ４を選択し、サーチ部１２００に通知する（図３のステップＳ３０１）。これにより、サーチ部１２００は以後通知されたサーチ周期でサーチを行うことになる。
次に、サーチ周期選択部１６３０がユーザ操作を受け付けたかどうかを判定する（ステップＳ３０２）。具体的には、折りたたみタイプの携帯電話機である場合には開く操作、スライドタイプの携帯電話機である場合にはスライドして開く操作、画面がフェードアウトしている状態から待ち受け画面を出力する操作、及び入力操作を、操作部１４００や検知部１７００を介して制御部１６００が受け付けたかを判定する。操作を受け付けていない場合（ステップＳ３０２：ＮＯ）、再びステップＳ３０２の処理を行う。操作を受け付けた場合（ステップＳ３０２：ＹＥＳ）、サーチ周期Ｔ３を選択し、サーチ部１２００に通知する（ステップＳ３０３）。
【００２７】
サーチ周期Ｔ３を選択し、サーチ部１２００に通知した後（ステップＳ３０３）、通信アプリケーション判定部１６２０が行う起動判定処理によって、通信アプリケーションを起動したかどうかを判定する（ステップＳ３０４）。
ステップＳ３０４では、後述するように記憶部１３００に通信アプリケーションとして識別子が登録されているアプリケーションを起動したかどうかを通信アプリケーション判定部１６２０が判定し、通信アプリケーション判定部１６２０が、起動している場合は起動ＦＬＡＧを１に設定し、起動していない場合は起動ＦＬＡＧを０に設定する。ここで、起動ＦＬＡＧは、通信アプリケーション判定部１６２０が行った、通信アプリケーションが起動したかどうかの判定結果を、サーチ周期選択部１６３０が知得するために用いられる。
【００２８】
ステップＳ３０４の後、起動ＦＬＡＧの値をサーチ周期選択部１６３０が知得する（ステップＳ３０５）。起動ＦＬＡＧが１の場合（ステップＳ３０５：１）、サーチ周期選択部１６３０がサーチ周期Ｔ２を選択し、サーチ部１２００に通知する（図４のステップＳ４０１）。
ステップＳ４０１の後、通信アプリケーションの終了を受け付けたかを判定する（ステップＳ４０２）。通信アプリケーションの終了を受け付けていない場合（ステップＳ４０２：ＮＯ）、サーチ周期選択部１６３０が、前回操作から一定時間（例えば６０秒）操作を受け付けなかったかを判定する（ステップＳ４０３）。この判定は、制御部１６００によって、操作部１４００からの操作を受け付けた時間を記憶部１３００に記憶しておき、サーチ周期選択部１６３０が、それを用いて最後に操作を受け付けた時間からの経過時間を見ることによって行う。操作を受け付けてから一定時間が経過していない場合（ステップＳ４０３：ＮＯ）、サーチ周期選択部１６３０によって、通信アプリケーションが通信を開始したかを判定する（ステップＳ４０４）。
【００２９】
通信アプリケーションが通信を開始していない場合（ステップＳ４０４：ＮＯ）、ステップＳ４０２へ戻る。通信アプリケーションが通信を開始した場合（ステップＳ４０４：ＹＥＳ）、サーチ周期選択部１６３０がサーチ周期Ｔ１を選択し、サーチ部１２００に通知する（ステップＳ４０５）。
サーチ周期選択部１６３０がサーチ周期Ｔ１を選択し、サーチ部１２００に通知した後、サーチ周期選択部１６３０によって、通信アプリケーションが通信を終了したかを判定する（ステップＳ４０６）。サーチ周期選択部１６３０が通信を終了していない場合（ステップＳ４０６：ＮＯ）、再びステップＳ４０６の処理を行う。通信アプリケーションが通信を終了した場合（ステップＳ４０６：ＹＥＳ）、ステップＳ４０１へ戻り、サーチ周期Ｔ２を選択し、サーチ部１２００に通知する。
【００３０】
図４のステップＳ４０２の説明に戻る。通信アプリケーションの終了を受け付けた場合（ステップＳ４０２：ＹＥＳ）、図３のステップＳ３０３に戻り、サーチ周期選択部１６３０がサーチ周期Ｔ３を選択し、サーチ部１２００に通知する。通信アプリケーションの終了を受け付けておらず（ステップＳ４０２：ＮＯ）、サーチ周期選択部１６３０が前回操作から一定時間操作を受け付けなかった場合（ステップＳ４０３：ＹＥＳ）も、図３のステップＳ３０３に戻り、サーチ周期選択部１６３０がサーチ周期Ｔ３を選択し、サーチ部１２００に通知する。
【００３１】
その後、通信アプリケーション判定部１６２０が起動判定処理を行い（図３のステップＳ３０４）、起動ＦＬＡＧの値を知得する（ステップＳ３０５）。起動ＦＬＡＧが０である場合（ステップＳ３０５：０）は、サーチ周期選択部１６３０が通信アプリケーションの操作を受け付けたかどうかを判定する（ステップＳ３０６）。この判定は、以下のように行う。まず、制御部１６００によって、操作部１４００からの操作がどのアプリケーションに対するものであったかを認識し、そのアプリケーションを起動する。なお、制御部１６００は実行したアプリケーションの識別子（名称等）を管理している。次に、サーチ周期選択部１６３０は、実行中のアプリケーションの識別子（名称等）と、記憶部１３００に記憶されている通信アプリケーションの識別子とを比較し、通信アプリケーションに対する操作があったかを確認する。
【００３２】
通信アプリケーションの操作を受け付けた場合（ステップＳ３０６：ＹＥＳ）、サーチ周期選択部１６３０がサーチ周期Ｔ２を選択し、サーチ部１２００に通知する（図４のステップＳ４０１）。通信アプリケーションの操作を受け付けていない場合（図３のステップＳ３０６：ＮＯ）、サーチ周期選択部１６３０が前回の操作から一定時間（例えば６０秒）操作を受け付けなかったかを判定する（ステップＳ３０７）。この判定も、図４のステップＳ４０３と同様に、制御部１６００によって、操作部１４００からの操作を受け付けた時間を記憶部１３００に記憶しておき、サーチ周期選択部１６３０が、それを用いて最後に操作を受け付けた時間からの経過時間を見ることによって行う。
【００３３】
前回操作から一定時間以内に操作を受け付けた場合（ステップＳ３０７：ＮＯ）、ステップＳ３０４に戻る。一定時間操作を受け付けなかった場合（ステップＳ３０７：ＹＥＳ）、通信アプリケーションを実行中かをサーチ周期選択部１６３０が判定する（ステップＳ３０８）。
通信アプリケーションを実行中の場合（ステップＳ３０８：ＹＥＳ）、ステップＳ３０４に戻る。通信アプリケーションを実行していない場合（ステップＳ３０８：ＮＯ）、ステップＳ３０１に戻り、サーチ周期選択部１６３０がサーチ周期Ｔ４を選択し、サーチ部１２００に通知する。
【００３４】
通信アプリケーション判定部１６２０が行う図３のステップＳ３０４の起動判定処理について、図５を用いて説明を行う。
まず、通信アプリケーション判定部１６２０がアプリケーションを起動しているかを判定する（ステップＳ５０１）。アプリケーションを起動していない場合（ステップＳ５０１：ＮＯ）、ステップＳ５０４へ進み、通信アプリケーション判定部１６２０が起動ＦＬＡＧを０に設定し、終了する。アプリケーションを起動している場合（ステップＳ５０１：ＹＥＳ）、通信アプリケーション判定部１６２０が、アプリケーションから識別子を取得し、その識別子が記憶部１３００に通信アプリケーションの識別子として登録されているかを判定する（ステップＳ５０２）。
【００３５】
通信アプリケーションとして識別子が登録されていない場合（ステップＳ５０２：ＮＯ）、ステップＳ５０４へ進み、通信アプリケーション判定部１６２０が起動ＦＬＡＧを０に設定し、終了する。識別子が登録されている場合、ステップＳ５０３へ進み、通信アプリケーション判定部１６２０が起動ＦＬＡＧを１に設定し、終了する。
図３から図５までのフローチャートを状態遷移図で表したものを図６に示す。図６では、サーチ周期がＴ１、Ｔ２、Ｔ３、Ｔ４である４つの状態をどの様に遷移するのかを示している。
＜補足＞
以上、本発明に係る携帯通信端末の実施形態として、例示した携帯通信端末を以下のように変形することも可能であり、本発明は上述の実施形態で示した通りの携帯通信端末に限られないことはもちろんである。
【００３６】
（１）実施形態では、通信アプリケーション判定部１６２０は実行中のアプリケーションが通信アプリケーションであるか否かの判定を、アプリケーションの識別子が記憶部１３００に記憶された通信アプリケーションの識別子と一致するか否かによって行ったが、これ以外の方法でもかまわない。
例えば、アプリケーション側で、通信を行うか否かを示す情報を有する構成にしておき、携帯電話機１０００の通信アプリケーション判定部１６２０でその情報を取得できるようにしておく。例えば、アプリケーションが通信を行うかどうかのフラグを有し、外部アプリケーションから呼び出されて、そのフラグの値を取得するための関数やサブルーチンも含んでいる。こうすることで、通信アプリケーション判定部１６２０が、その関数やサブルーチンを用いて、アプリケーションが有しているフラグの値を取得し、そのフラグの値に基づいて通信アプリケーションであるか否かの判定を行うようにしてもよい。
【００３７】
（２）実施形態では、通信アプリケーションを起動している場合のサーチ周期をＴ２、通信アプリケーションが通信を行っている場合のサーチ周期をＴ１とする構成を説明したが、通信アプリケーションの内容に応じてＴ２とＴ１を複数種類持つようにしてもよい。
例えば、音声通信を行う通信アプリケーションと、データ通信を行う通信アプリケーションによってＴ２をそれぞれＴ２＿１とＴ２＿２、Ｔ１をそれぞれＴ１＿１とＴ１＿２とし、違うサーチ周期で基地局をサーチさせても良い。
【００３８】
また、実施形態では、４段階のサーチ周期を切り替える構成を説明したが、２段階でも３段階でも、あるいは５段階以上のサーチ周期を有する構成にしてもよい。
例えば、実施形態では、通信アプリケーションを起動させてから、操作をせずに時間が経過した場合には、サーチ周期をＴ２からＴ３に変化させた。これを、Ｔ２からＴ３の間に、サーチ周期の大小関係がＴ２＜Ｔ３＿ｄ＜Ｔ３＿ｄｄ＜Ｔ３となるように新たにサーチ周期Ｔ３＿ｄ、Ｔ３＿ｄｄを設ける。そして、通信アプリケーションを起動させてから通信をせずに経過した時間が長くなるにつれて段階的にＴ２からＴ３＿ｄ、Ｔ３＿ｄからＴ３＿ｄｄへと変化させても良い。
【００３９】
また、上記実施形態では、サーチ周期Ｔ３の状態から、通信アプリケーションが起動されたときに移行するサーチ周期Ｔ２と、サーチ周期Ｔ３の状態から、通信アプリケーションでのキー操作がされた時に移行するサーチ周期Ｔ２とを同じものとしたが、これら２つのサーチ周期Ｔ２を、それぞれＴ３より小さくなる、２つの異なる値のサーチ周期としてもよい。
【００４０】
（３）実施形態では、サーチ周期がＴ３からＴ４に変化するのは、通信アプリケーションが実行中ではないときに、前回の操作から一定期間操作が行われなかったときとしていた。これを、通信アプリケーションの実行をしていても、前回操作から一定期間操作が行われなかったときには、サーチ周期をＴ３からＴ４に変化させるようにしてもよい。
この結果、携帯電話機１０００を使用していない状態において、より電池の持続時間を長くすることができ、省電力性能を上げることができる。
【００４１】
（４）実施形態において説明した選択処理（図３等参照）をＣＰＵに実行させるためのプログラムを、記録媒体に記録し又は各種通信路等を介して、流通させ頒布することもできる。この様な記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯電話機１０００の各機能が実現される。
【００４２】
（５）以下、更に本発明の一実施形態に係る携帯通信端末の構成及びその変形例と効果について述べる。
（ａ）本発明の一実施形態に係る携帯通信端末は、基地局のサーチを行うサーチ部と、前記サーチ部でサーチされた一つもしくは複数の基地局と通信を行う通信部と、実行中のアプリケーションプログラムが前記通信部を通じて通信を行う処理を含む通信アプリケーションであるか否かの判定を行う通信アプリケーション判定部と、実行中のアプリケーションプログラムが前記通信アプリケーション判定部によって前記通信アプリケーションであると判定された場合に、前記通信アプリケーションが実行されていないときと比較して短い第１の短い周期を選択し、当該第１の短い周期で前記サーチ部にサーチさせるサーチ周期選択部とを備える。
【００４３】
従ってこの携帯通信端末は、通信アプリケーションを実行している場合に、基地局をサーチする周期として、通信アプリケーションが実行されていないときと比較して短い第１の短い周期を選択することができるため、通信可能な基地局を認識できる可能性が高くなる。結果として、携帯通信端末のユーザが発信したいときにすぐに通信を行うことが可能になる。
【００４４】
（ｂ）ここで、前記サーチ周期選択部は、前記通信アプリケーションが実行中で、前記第１の短い周期を選択している場合において、一定時間ユーザによる操作がなされなかったときに、前記第１の短い周期と比較して長い周期を選択し、当該長い周期で前記サーチ部にサーチさせることとしてもよい。
これにより、通信アプリケーションが起動中であっても、一定時間操作がされなかった場合には、基地局をサーチする周期として第１の短い周期と比較して長い周期を選択することで、携帯電話の電池の持続時間を長くすることができる。即ち、省電力性能を上げることができる。
【００４５】
（ｃ）ここで、前記サーチ周期選択部は、前記通信アプリケーションが実行中で、前記長い周期を選択している場合において、操作が行われたときに、前記長い周期と比較して短い周期である第２の短い周期を選択し、当該第２の短い周期で前記サーチ部にサーチさせることとしてもよい。
これにより、通信アプリケーションを実行中で、一定時間操作がなされず長い周期が選択された後、ユーザが操作をした際に長い周期と比較して短い第２の短い周期を選択する。従って、発信を行う可能性が高くなったときに、すぐに基地局と通信できる可能性が増すため、ユーザによる発信要求に答えることできる可能性を高めることができる。
【００４６】
（ｄ）ここで、前記通信アプリケーションの識別情報を記憶している記憶部を備え、前記通信アプリケーション判定部は、前記記憶部に記憶されている前記通信アプリケーションの前記識別情報と実行中のアプリケーションプログラムの識別情報が一致する場合に当該アプリケーションプログラムを前記通信アプリケーションであると判定することとしてもよい。
【００４７】
これにより、通信アプリケーションの識別情報を予め登録しておくことで、実行中のアプリケーションプログラムが通信アプリケーションであるかどうかを簡単に判別することができる。
（ｅ）ここで、前記通信アプリケーション判定部は、前記アプリケーションプログラムから前記通信部を通じて通信を行うか否かを示す情報を取得し、前記アプリケーションプログラムから前記情報を得た場合に、当該情報が通信を行う旨の情報であったときは当該アプリケーションプログラムを前記通信アプリケーションであると判定することとしてもよい。
【００４８】
これにより、アプリケーションプログラム側で通信を行うか否かを示す情報を有する構成にしておくことで、携帯通信端末側では、上述の識別情報のような情報を予め登録させることなく、通信アプリケーションであるか否かを判定することが可能となる。
【産業上の利用可能性】
【００４９】
本発明の携帯通信端末における基地局をサーチする周期を変更する技術は、基地局を介した通信を行う場合に利用される。
【符号の説明】
【００５０】
１０００  携帯電話機
１１００  通信部
１２００  サーチ部
１３００  記憶部
１４００  操作部
１５００  ディスプレイ
１６００  制御部
１６１０  電界強度計測部
１６２０  通信アプリケーション判定部
１６３０  サーチ周期選択部
１６４０  アプリケーション実行部
１７００  検知部
【図１】
0005542613.tif 000002
【図２】
0005542613.tif 000003
【図３】
0005542613.tif 000004
【図４】
0005542613.tif 000005
【図５】
0005542613.tif 000006
【図６】
0005542613.tif 000007